(57)【要約】【課題】  鍔付きコネクタの鍔部を挿入・配置させるためのスペースを異物から保護することができて小型化も図りやすく、しかも使い勝手が良好で部品を紛失する心配もないコネクタ装置を提供すること。【解決手段】  コネクタ装置２０は、庇部２６を有して本体装置に取着される筐体２１と、各コンタクト２２を配設して筐体２１内に収納固定されたハウジング２３と、筐体２１に軸支されてコンタクト２２を蓋閉する全閉位置と各コンタクト２２を露出させる全開位置との間で回動可能なコンタクトカバー２４と、コンタクトカバー２４を全閉位置へ向けて常時付勢するコイルばね２５とによって概略構成されており、ハウジング２３の両側縁部に設けた帯状搭載面２７ｃと庇部２６との間に画成されている係合凹所Ｓに、付属装置に取着される鍔付きコネクタ１０の鍔部１１を挿入することによって該コネクタ１０が装着される。【選択図】  図２
2005129253.tif 000002
【特許請求の範囲】
【請求項１】
鍔付きコネクタの鍔部が搭載される搭載面を有すると共に複数のコンタクトが配設されたハウジングと、前記搭載面上の前記鍔部に対してオーバーラップする庇部を有して前記ハウジングを収納固定した筐体と、該筐体に軸支されて前記複数のコンタクトを蓋閉する全閉位置と該コンタクトを露出させる全開位置との間で回動可能であり、かつ前記全閉位置では前記庇部と隣接して横臥するコンタクトカバーと、該コンタクトカバーを前記全閉位置へ向けて常時付勢する付勢部材とを備え、
前記鍔付きコネクタの装着時に前記鍔部を前記搭載面と前記庇部との間へ挿入していく動作に伴って、前記コンタクトカバーが該鍔部に押し上げられると共に、該鍔付きコネクタの複数のコンタクト片が前記複数のコンタクトと接触するように構成したことを特徴とするコネクタ装置。
【請求項２】
請求項１の記載において、前記コンタクトカバーの自由端部で挿入開始時の前記鍔部が当接する部分が傾斜面となっていることを特徴とするコネクタ装置。
【請求項３】
請求項１または２の記載において、前記複数のコンタクトの基端側からそれぞれ屈曲部を介して端子部が導出されていると共に、前記ハウジングとして、前記複数のコンタクトをそれぞれ複数の凹溝内に載置したベース部材と、前記複数の屈曲部を保持して前記複数の端子部を前記ベース部材上に弾接せしめた保持部材とを備えていることを特徴とするコネクタ装置。
【発明の詳細な説明】
【技術分野】
【０００１】
本発明は、ビデオカメラ等において外部ライト等の付属装置（アクセサリ）を接続するために本体装置側に取り付けられるコネクタ装置に関する。
【背景技術】
【０００２】
ビデオカメラ等の本体装置には一般に、外部ライト等の付属装置を接続するためのホットシューと称されるコネクタ装置が取り付けられている。この種のコネクタ装置は、付属装置側に取り付けられる鍔付きコネクタを装着することによって、該付属装置を本体装置に対して電気的かつ機械的に接続させるというものであり、従来技術としては図１０に示すようなコネクタ装置１が知られている（例えば、特許文献１参照）。
【０００３】
図１０に示す従来のコネクタ装置１は、鍔付きコネクタ１０を着脱可能に装着するためのものである。このコネクタ装置１は、図示せぬ本体装置に取り付けられる金属板製の筐体２と、図示せぬ複数のコンタクトを配設して筐体２内に収納固定されたハウジング３と、前記コンタクトを蓋閉する全閉位置と該コンタクトを露出させる全開位置との間でスライド可能なコンタクトカバー４と、コンタクトカバー４を前記全閉位置へ向けて常時付勢する図示せぬコイルばねとによって概略構成されており、各コンタクトから導出された複数の端子部がハウジング３内の奥部で図示せぬフレキシブル基板に接続され、このフレキシブル基板を介して本体装置と電気的に接続されるようになっている。筐体２には、その両側壁の上端部を内方へ折り曲げて形成された一対の庇部５が設けられている。ハウジング３の上面で各庇部５と対向する両縁部分は、鍔付きコネクタ１０の鍔部１１を摺動可能に搭載するための帯状搭載面６となっており、これら一対の帯状搭載面６の間に配置されたコンタクトカバー４が帯状搭載面６の延出方向に沿って往復移動可能となっている。
【０００４】
一方、鍔付きコネクタ１０は、平面視略コ字形の鍔部１１を有する凸状の部材であって、図示せぬ付属装置を取り付けるための複数のねじ孔１２が設けられている。この鍔付きコネクタ１０には、ばね性が付与された図示せぬ複数のコンタクト片が配設されており、各コンタクト片の下端部は鍔部１１よりも下方へ突出している。各コンタクト片からは上方へ図示せぬ端子部が導出されており、これらの端子部が付属装置と電気的に接続されるようになっている。また、鍔付きコネクタ１０の底面側には複数のコンタクト片の近傍に、図示せぬ一対の突条部が設けられている。
【０００５】
鍔付きコネクタ１０が装着されていないときには、図１０に示すように、コネクタ装置１のコンタクトカバー４は前記コイルばねの付勢力によって全閉位置に保持されており、それゆえ前記コンタクトは蓋閉状態に保たれて塵埃や異物の付着が防止されている。また、付属装置を接続するために鍔付きコネクタ１０をコネクタ装置１に装着する際には、庇部５と帯状搭載面６との間へ鍔付きコネクタ１０の鍔部１１を挿入していき、庇部５をオーバーラップさせた状態で鍔部１１を帯状搭載面６上で摺動させる。この挿入動作によって鍔部１１はコネクタ装置１の奥側へと移動していくが、鍔部１１が所定量移動すると鍔付きコネクタ１０の前記突条部がコンタクトカバー４の前端に当接するので、前記コイルばねの付勢力に抗して鍔部１１をさらに挿入していけば、コンタクトカバー４は全閉位置から奥側へ押し込まれて全開位置までスライド後退していく。そして、かかるコンタクトカバー４のスライド後退動作に伴って露出する前記コンタクト上に、鍔付きコネクタ１０の対応する前記コンタクト片が弾接するように位置合わせしてあることから、コンタクトカバー４が全開位置まで押し込まれた時点で鍔付きコネクタ１０はコネクタ装置１と電気的に接続された状態となる。
【０００６】
このほか、他の従来技術として、コンタクトカバーを随時着脱できるように構成したコネクタ装置も提案されている（例えば、特許文献２参照）。かかるコネクタ装置は、付属装置側の鍔付きコネクタを装着するときにはコンタクトカバーを抜き取ってコンタクトを露出させ、それ以外のときはコンタクトカバーを取り付けてコンタクトを保護するというものである。
【特許文献１】特開平９−１６３２００号公報（第３−４頁、図１）
【特許文献２】実開平７−４１５３９号公報（第７−１２頁、図４）
【発明の開示】
【発明が解決しようとする課題】
【０００７】
図１０に示す従来のコネクタ装置１では、鍔付きコネクタ１０が装着されていないときに、コンタクトカバー４が全閉位置に保持されているためコンタクトを保護することはできるが、鍔部１１を挿入・配置させるために庇部５と帯状搭載面６との間に画成されているスペース（係合凹所Ｓ）は露出したままなので、この係合凹所Ｓに異物が固着したり挟まるなどして鍔部１１の挿入に支障をきたす虞があった。また、かかる従来のコネクタ装置１は、鍔付きコネクタ１０の装着時にコンタクトカバー４を全閉位置からスライド後退させて全開位置へ退避させるというものなので、全閉位置にあるコンタクトカバー４の後方に広い退避スペースを確保しておかねばならず、それゆえ装置全体の奥行き寸法が長くなってしまい小型化が図りにくかった。
【０００８】
これに対して、コンタクトカバーが随時着脱できるように構成されている前記従来のコネクタ装置の場合、鍔付きコネクタの鍔部を挿入・配置させるためのスペースにコンタクトカバーの一部を挿入して該スペースを異物から保護することができ、小型化も図りやすいという利点がある。しかしながら、このものは、鍔付きコネクタの装着時にコンタクトカバーを抜き取って保管しておかなければならないため煩雑で使い勝手が悪く、コンタクトカバーを紛失してしまう虞もあった。
【０００９】
本発明は、このような従来技術の実情に鑑みてなされたもので、その目的は、鍔付きコネクタの鍔部を挿入・配置させるためのスペースを異物から保護することができて小型化も図りやすく、しかも使い勝手が良好で部品を紛失する心配もないコネクタ装置を提供することにある。
【課題を解決するための手段】
【００１０】
上述した目的を達成するため、本発明のコネクタ装置では、鍔付きコネクタの鍔部が搭載される搭載面を有すると共に複数のコンタクトが配設されたハウジングと、前記搭載面上の前記鍔部に対してオーバーラップする庇部を有して前記ハウジングを収納固定した筐体と、該筐体に軸支されて前記複数のコンタクトを蓋閉する全閉位置と該コンタクトを露出させる全開位置との間で回動可能であり、かつ前記全閉位置では前記庇部と隣接して横臥するコンタクトカバーと、該コンタクトカバーを前記全閉位置へ向けて常時付勢する付勢部材とを備え、前記鍔付きコネクタの装着時に前記鍔部を前記搭載面と前記庇部との間へ挿入していく動作に伴って、前記コンタクトカバーが該鍔部に押し上げられると共に、該鍔付きコネクタの複数のコンタクト片が前記複数のコンタクトと接触するように構成した。
【００１１】
このように構成されたコネクタ装置は、鍔付きコネクタが装着されていないとき、全閉位置にあるコンタクトカバーが庇部と隣接する横臥姿勢でコンタクト群を蓋閉するため、鍔付きコネクタの鍔部を挿入・配置させるためのスペースを該コンタクトカバーの両側縁部で塞いで異物から保護することが可能となる。また、鍔付きコネクタの装着時には、鍔部の挿入動作に伴ってコンタクトカバーが全閉位置から全開位置へと押し上げられていき、鍔付きコネクタを離脱させれば付勢部材の付勢力でコンタクトカバーは自動的に全閉位置へ押し戻されるので、使い勝手が良好で部品を紛失する心配もない。また、筐体に軸支されたコンタクトカバーを全閉位置と全開位置との間で回動させる構成であることから、コンタクトカバーを前後にスライドさせる構成のものに比べて、コネクタ装置全体の奥行き寸法を短縮させるという小型化が図りやすくなる。
【００１２】
かかる構成のコネクタ装置において、コンタクトカバーの自由端部で挿入開始時の鍔付きコネクタの鍔部が当接する部分が傾斜面となっていれば、鍔付きコネクタの装着時に、鍔部はまず横臥姿勢のコンタクトカバーの傾斜面に当接して該傾斜面を押し込むことになるので、コンタクトカバーを押し上げる開動作を円滑に開始させることができて好ましい。
【００１３】
また、かかる構成のコネクタ装置において、複数のコンタクトの基端側からそれぞれ屈曲部を介して端子部が導出されていると共に、前記ハウジングとして、前記複数のコンタクトをそれぞれ複数の凹溝内に載置したベース部材と、前記複数の屈曲部を保持して前記複数の端子部を前記ベース部材上に弾接せしめた保持部材とを備えていれば、ベース部材と保持部材とを一体化してなるハウジングの内奥部で、各端子部とベース部材との間にフレキシブル基板を挟み込んで接続させるという簡便な構造が採用できるため好ましい。
【発明の効果】
【００１４】
本発明のコネクタ装置は、筐体に軸支されて全閉位置と全開位置との間で回動可能なコンタクトカバーが、全閉位置において庇部と隣接する横臥姿勢でコンタクト群を蓋閉しているので、鍔付きコネクタの鍔部を挿入・配置させるためのスペースを該コンタクトカバーの両側縁部で塞いで異物から保護することができると共に、装置全体の奥行き寸法を短縮させるという小型化が図りやすい。また、このコンタクトカバーは鍔部の挿入動作に伴って押し上げられ、付勢部材の付勢力で自動的に押し戻されるというものなので、使い勝手が良好で部品を紛失する心配もない。
【発明を実施するための最良の形態】
【００１５】
発明の実施の形態を図面を参照して説明すると、図１は本発明の実施形態例に係るコネクタ装置の斜視図、図２は該コネクタ装置の分解斜視図、図３は該コネクタ装置に装着される鍔付きコネクタの側面図、図４は該コネクタ装置の背面側の斜視図、図５は該コネクタ装置の底面側の斜視図、図６は該コネクタ装置の平面図、図７は図６のＡ−Ａ線に沿う断面図、図８は該コネクタ装置のコンタクトカバー全開状態を示す斜視図、図９は図８に対応する側面図である。
【００１６】
これらの図に示すコネクタ装置２０は、鍔付きコネクタ１０を着脱可能に装着するためのものである。このコネクタ装置２０は、ビデオカメラ等の図示せぬ本体装置に取り付けられる金属板製の筐体２１と、複数のコンタクト２２を配設して筐体２１内に収納固定されたハウジング２３と、筐体２１に軸支されて各コンタクト２２を蓋閉する全閉位置と各コンタクト２２を露出させる全開位置との間で回動可能なコンタクトカバー２４と、コンタクトカバー２４を全閉位置へ向けて常時付勢する付勢部材である一対のコイルばね２５とによって概略構成されており、各コンタクト２２の基端側からそれぞれ屈曲部２２ａを介して端子部２２ｂが導出されている（図７参照）。このコネクタ装置２０は、各コンタクト２２から導出された複数の端子部２２ｂがハウジング２３内の奥部で図示せぬフレキシブル基板に接続され、このフレキシブル基板を介して本体装置と電気的に接続されるようになっている。
【００１７】
筐体２１の両側壁にはコンタクトカバー２４を軸支するための軸受孔２１ａが設けられており、これら両側壁の上端部を内方へ折り曲げることによって一対の庇部２６が突設されている。また、筐体２１の底面側には、ハウジング２３の位置決め固定や本体装置との機械的接続を図るための透孔２１ｂや取付片２１ｃが設けられている（図５参照）。ハウジング２３は、複数のコンタクト２２をそれぞれ複数の凹溝２７ａ内に載置したベース部材２７と、複数の屈曲部２２ａを保持して複数の端子部２２ｂをベース部材２７上に弾接せしめた保持部材２８とによって構成されており、保持部材２８の脚部２８ａをベース部材２７の位置決め孔２７ｂに挿通して融着することにより両者２７，２８が一体化されている。ベース部材２７の上面で各庇部２６と対向する両側縁部は、鍔付きコネクタ１０の鍔部１１を摺動可能に搭載するための帯状搭載面２７ｃとなっている。また、ベース部材２７には、鍔付きコネクタ１０の後述する突条部１３を挿入して幅方向の位置決めを行うための一対のガイド溝２７ｄが設けられている。なお、このハウジング２３は、ベース部材２７の脚部２７ｅを適宜透孔２１ｂに挿通して融着することにより筐体２１に固定されている。
【００１８】
コンタクトカバー２４の基端側には筐体２１の両側壁（軸受孔２１ａ）に挿通される一対の支軸２４ａが突設されており、コンタクトカバー２４の自由端側には傾斜面２４ｂが形成されている。このコンタクトカバー２４は、全閉位置では庇部２６に隣接して横臥しており、一対の庇部２６と横臥状態のコンタクトカバー２４の両側縁との間には回動に支障をきたさない程度の僅かなクリアランスが存するのみである。
【００１９】
一方、外部ライト等の図示せぬ付属装置に取り付けられる鍔付きコネクタ１０は、図３に示すように鍔部１１を有する凸状の部材であって、図１０に示したものと同等品である。この鍔付きコネクタ１０には、ばね性が付与された複数のコンタクト片１４が配設されており、各コンタクト片１４の下端部は鍔部１１よりも下方へ突出している。各コンタクト片１４からは上方へ図示せぬ端子部が導出されており、これらの端子部が付属装置と電気的に接続されるようになっている。また、鍔付きコネクタ１０の底面側には複数のコンタクト片１４の近傍に、一対の突条部１３が設けられている。
【００２０】
次に、コネクタ装置２０の動作について説明する。鍔付きコネクタ１０が装着されていないときには、図１や図７に示すように、コネクタ装置２０のコンタクトカバー２４はコイルばね２５の付勢力によって全閉位置に保持されている。そのため、各コンタクト２２およびガイド溝２７ｄは蓋閉状態に保たれ、塵埃や異物の付着が防止されている。また、こうして全閉位置に保持された横臥姿勢のコンタクトカバー２４は庇部２６と隣接しているので、庇部２６と帯状搭載面２７ｃとの間に画成されている係合凹所Ｓはコンタクトカバー２４の両側縁部によってほぼ塞がれている。
【００２１】
付属装置を接続するために鍔付きコネクタ１０をコネクタ装置２０に装着する際には、鍔付きコネクタ１０の鍔部１１を庇部２６と帯状搭載面２７ｃとの間（係合凹所Ｓ）へ挿入していくが、このとき、鍔部１１はコイルばね２５の付勢力に抗してコンタクトカバー２４を押し上げていく。かかる鍔部１１の挿入動作が開始されるときに、鍔部１１はまず横臥姿勢のコンタクトカバー２４の傾斜面２４ｂに当接して該傾斜面２４ｂを押し込むことになるので、コンタクトカバー２４を押し上げる開動作は円滑に開始される。また、鍔部１１は庇部２６をオーバーラップさせた状態で帯状搭載面２７ｃ上を摺動させながら挿入していくことができるので、挿入動作自体も円滑に行われる。こうして鍔部１１を係合凹所Ｓへ挿入していくと、コンタクトカバー２４の起立角度が次第に増大して各コンタクト２２が露出するようになり、鍔付きコネクタ１０の突条部１３がガイド溝２７ｄ内へ挿入された後は幅方向の正確な位置決めが行われる。そして、鍔部１１を係合凹所Ｓの最奥部まで挿入すると、コンタクトカバー２４が図８や図９に示す全開位置まで押し上げられると共に、各コンタクト２２上にそれぞれ鍔付きコネクタ１０の対応するコンタクト片１４が弾接し、鍔付きコネクタ１０はコネクタ装置２０と電気的に接続された状態となる。
【００２２】
なお、こうして装着した鍔付きコネクタ１０をコネクタ装置２０から離脱させる際には、鍔部１１を挿入時とは逆向きに移動させて係合凹所Ｓから抜き取るが、かかる鍔部１１の抜き取り動作に伴い、コイルばね２５に付勢されているコンタクトカバー２４の起立角度は次第に減少していく。そして、鍔部１１が係合凹所Ｓから完全に抜き取られると、コンタクトカバー２４はコイルばね２５の付勢力で全閉位置へ押し戻されて、図１や図７に示すように各コンタクト２２およびガイド溝２７ｄを蓋閉した初期状態へ自動復帰し、これにより係合凹所Ｓもコンタクトカバー２４の両側縁部によってほぼ塞がれる。
【００２３】
このように本実施形態例に係るコネクタ装置２０は、筐体２１に軸支されて全閉位置と全開位置との間で回動可能なコンタクトカバー２４が、全閉位置において庇部２６と隣接する横臥姿勢で各コンタクト２２を蓋閉しているので、鍔付きコネクタ１０の鍔部１１を挿入・配置させるためのスペース（係合凹所Ｓ）をコンタクトカバー２４の両側縁部で塞いで異物から保護することができる。また、このコネクタ装置２０は、コンタクトカバーを前後にスライドさせる構成のものに比べて、装置全体の奥行き寸法を短縮させるという小型化が図りやすい。さらに、このコネクタ装置２０は、鍔付きコネクタ１０の装着時には鍔部１１の挿入動作に伴ってコンタクトカバー２４が全閉位置から全開位置へと押し上げられていき、鍔付きコネクタ１０を離脱させればコイルばね２５の付勢力でコンタクトカバー２４が自動的に全閉位置へ押し戻されるようになっているので、使い勝手が良好で部品を紛失する心配もない。
【図面の簡単な説明】
【００２４】
【図１】本発明の実施形態例に係るコネクタ装置の斜視図である。
【図２】該コネクタ装置の分解斜視図である。
【図３】該コネクタ装置に装着される鍔付きコネクタの側面図である。
【図４】該コネクタ装置の背面側の斜視図である。
【図５】該コネクタ装置の底面側の斜視図である。
【図６】該コネクタ装置の平面図である。
【図７】図６のＡ−Ａ線に沿う断面図である。
【図８】該コネクタ装置のコンタクトカバー全開状態を示す斜視図である。
【図９】図８に対応する側面図である。
【図１０】従来例に係るコネクタ装置の説明図である。
【符号の説明】
【００２５】
１０  鍔付きコネクタ
１１  鍔部
１４  コンタクト片
２０  コネクタ装置
２１  筐体
２２  コンタクト
２２ａ  屈曲部
２２ｂ  端子部
２３  ハウジング
２４  コンタクトカバー
２４ａ  支軸
２４ｂ  傾斜面
２５  コイルばね（付勢部材）
２６  庇部
２７  ベース部材
２７ａ  凹溝
２７ｃ  帯状搭載面
２８  保持部材
Ｓ  係合凹所
【図１】
2005129253.tif 000003
【図２】
2005129253.tif 000004
【図３】
2005129253.tif 000005
【図４】
2005129253.tif 000006
【図５】
2005129253.tif 000007
【図６】
2005129253.tif 000008
【図７】
2005129253.tif 000009
【図８】
2005129253.tif 000010
【図９】
2005129253.tif 000011
【図１０】
2005129253.tif 000012